(57)【要約】【課題】可動体を往動前位置に復動させてこの可動体をキャッチさせる際に衝突音などをできる限り生じさせないようにすると共に、可動体を安定的に往動前位置にキャッチしながらそのリリースにあたって格別の外力を必要としないようにする。【解決手段】スライダ２の前端に取り付けられると共に、可動体Ｒに対し、可動体Ｒの往動前位置において吸着面５０を吸着させるように構成された吸盤５と、この吸盤５の背面５１に片一端６０側を、ベース１に片他端６１側を接続させると共に、スライダ２が第一後退位置にあるときには緊張されない長さを備えた引き片６とを有している。スライダ２の仮保持が解かれて付勢手段３の付勢によりスライダ２が前進位置に移動されることに伴って引き片６が緊張され吸盤５が変形されるようになっている。【選択図】図４
2006299545.tif 000002
【特許請求の範囲】
【請求項１】
本体に往復動可能に組み合わされた可動体又はこの本体に取り付けられて可動体の往動前位置においてこの可動体を本体にリリース可能にキャッチさせるキャッチャー装置であって、
ベースと、
このベースに前後動可能に組み合わされるスライダと、
このスライダを前進位置に向けて常時付勢する付勢手段と、
付勢手段に蓄勢させながら後退移動されるスライダを第一後退位置において仮保持すると共に、この第一後退位置よりもさらに奥の第二後退位置にスライダが押し込み移動されたときに前記仮保持を解く保持手段と、
スライダの前端に取り付けられると共に、可動体及び本体のいずれか一方に対し、可動体の往動前位置において吸着面を吸着させるように構成された吸盤と、
この吸盤の背面に片一端側を、ベースに片他端側を接続させると共に、スライダが第一後退位置にあるときには緊張されない長さを備えた引き片とを有しており、
スライダの仮保持が解かれて付勢手段の付勢によりスライダが前進位置に移動されることに伴って引き片が緊張され吸盤が変形されるようになっていることを特徴とするキャッチャー装置。
【請求項２】
引き片の片一端が吸盤の縁部に接続されていることを特徴とする請求項１記載のキャッチャー装置。
【請求項３】
引き片が吸盤の直径方向両側にそれぞれ設けられていることを特徴とする請求項１又は請求項２記載のキャッチャー装置。
【請求項４】
吸盤の背面の中央部に頭部と頸部とを備えたはめ込み凸部が一体に形成されていると共に、
スライダの前端に、はめ込み凸部の頭部より穴径を小さくしたこのはめ込み凸部の頸部の通し穴と、この頸部よりも溝幅をやや小さくすると共にこの通し穴に側方から連通したこの頸部の導入溝とを備えた支持部が形成されていることを特徴とする請求項１〜請求項３のいずれか１項に記載のキャッチャー装置。
【請求項５】
引き片が吸盤と一体に成形されていることを特徴とする請求項１〜請求項４のいずれか１項に記載のキャッチャー装置。
【発明の詳細な説明】
【技術分野】
【０００１】
この発明は、本体に往復動可能に組み合わされた可動体、または、この本体に取り付けられて、可動体の往動前位置においてこの可動体を本体にリリース可能にキャッチさせるキャッチャー装置の改良に関する。
【背景技術】
【０００２】
テレビ台の前面開口を開放可能に塞ぐ観音開き式のガラス製の開き戸などにあっては、テレビ台側に設けたマグネットラッチを戸体の自由端に設けた金属プレートに吸着させて、この戸体の閉じ位置（往動前位置）にある状態をリリース可能に維持させるようにしたものがある。（特許文献１参照）
【０００３】
しかるに、特許文献１に示されるものでは、開いている戸体を閉じる際にラッチとプレートとの衝突音を必然的に生じさせてしまうものであった。また、戸体側にはプレートを設けることを要するものであった。また、往動前位置にキャッチされている戸体を往動させるときには、磁石の吸着力に抗する大きさの力で、プレートがラッチから引き剥がされるように戸体を開き出し操作しなければならなかった。
【特許文献１】特開平５−７９２３６号公報
【発明の開示】
【発明が解決しようとする課題】
【０００４】
この発明が解決しようとする主たる問題点は、この種のキャッチャー装置において、可動体を往動前位置に復動させてこの可動体をキャッチさせる際に衝突音などをできる限り生じさせないようにすると共に、可動体を安定的に往動前位置にキャッチしながらそのリリースにあたって格別の外力を必要としないようにする点にある。
【課題を解決するための手段】
【０００５】
前記問題点を解決するために、この発明にあっては、キャッチャー装置を以下の（１）〜（８）の構成を備えたものとした。
（１）本体に往復動可能に組み合わされた可動体又はこの本体に取り付けられて可動体の往動前位置においてこの可動体を本体にリリース可能にキャッチさせるキャッチャー装置であって、
（２）ベースと、
（３）このベースに前後動可能に組み合わされるスライダと、
（４）このスライダを前進位置に向けて常時付勢する付勢手段と、
（５） 付勢手段に蓄勢させながら後退移動されるスライダを第一後退位置において仮保持すると共に、この第一後退位置よりもさらに奥の第二後退位置にスライダが押し込み移動されたときに前記仮保持を解く保持手段と、
（６）スライダの前端に取り付けられると共に、可動体及び本体のいずれか一方に対し、可動体の往動前位置において吸着面を吸着させるように構成された吸盤と、
（７）この吸盤の背面に片一端側を、ベースに片他端側を接続させると共に、スライダが第一後退位置にあるときには緊張されない長さを備えた引き片とを有しており、
（８）スライダの仮保持が解かれて付勢手段の付勢によりスライダが前進位置に移動されることに伴って引き片が緊張され吸盤が変形されるようになっている。
【０００６】
可動体の往動前位置において可動体及び本体のいずれか一方に吸盤を吸着させると共に、第一後退位置にスライダを後退させ仮保持させているキャッチャー装置によって可動体はこの往動前位置に安定的に位置づけられる。すなわち、この状態では、引き片は緊張されず、吸盤の所定の吸着状態をもってその吸着を継続する。この状態からスライダが第二後退位置まで後退移動されるように可動体を操作するとスライダの仮保持が解かれ、付勢手段の付勢によりスライダは前進位置に向けて前進移動される。この前進移動がなされるとスライダの前進移動分可動体は往動されると共に、引き片が緊張されて吸盤が変形され、吸盤の吸着状態が解かれる。これにより、可動体はフリーとされ所望の位置までの往動ができるようになる。フリーとなった可動体を再び往動前位置に向けて復動させると可動体及び本体のいずれか一方に再び吸盤が押し付けられると共にスライダが後退移動されることから引き片の緊張による吸盤の変形が生じず吸盤は適正に吸着され、また、スライダは第一後退位置で仮保持され、可動体は再び往動前位置に安定的に位置づけられる。
【０００７】
フリーとなっている可動体をキャッチさせるときは吸盤が先ず本体及び可動体のいずれか一方に突き当たるので、この際に接触音などをできる限り生じさせないようにすることができる。また、キャッチされている可動体をフリーにするときは引き片の作用によってスムースに吸盤による吸着を解かせることができる。
【０００８】
前記引き片の片一端を吸盤の縁部に接続させておくようにすれば、スライダの前進移動によって吸盤をその縁部から後方にスムースにまくれあげさせてその吸着を解き易くすることができる。
【０００９】
また、前記引き片を吸盤の直径方向両側にそれぞれ設けておけば、スライダが所定の位置まで前進移動されたときには吸盤の吸着が瞬間的に解かれるようにすることができる。
【００１０】
前記吸盤の背面の中央部に頭部と頸部とを備えたはめ込み凸部を一体に形成させておくと共に、
スライダの前端に、はめ込み凸部の頭部より穴径を小さくしたこのはめ込み凸部の頸部の通し穴と、この頸部よりも溝幅をやや小さくすると共にこの通し穴に側方から連通したこの頸部の導入溝とを備えた支持部を形成させておくこともある。
【００１１】
このようにした場合、スライダの支持部の導入溝に吸盤のはめ込み凸部の頸部をやや弾性変形させながらこの頸部を通して、この頸部を通し穴に入り込ませ、支持部を頭部と吸盤との間で挟み込むようにしてワンタッチでスライダの前端に吸盤を取り付けることできる。
【００１２】
引き片を吸盤とを一体に成形させておけば、引き片を合理的に吸盤に備えさせることができると共に、引き片にも弾性を付与し、さらに、キャッチャー装置の部品点数を軽減させることができる。
【発明の効果】
【００１３】
この発明にかかるキャッチャー装置によれば、吸盤の吸着により可動体をキャッチすることから、可動体を往動前位置に復動させてこの可動体をキャッチさせる際に衝突音などをできる限り生じさせないようにすることができる。それと共に、吸盤の吸着は、付勢手段により前進移動されるスライダにより緊張される引き片による吸盤の変形で解かれることから、可動体を安定的に往動前位置にキャッチしながらそのリリースにあたって格別の外力を必要としない。
【発明を実施するための最良の形態】
【００１４】
以下、図１ないし図４に基づいて、この発明を実施するための最良の形態について説明する。
【００１５】
なお、ここで図１は、キャッチャー装置Ｃを収納箱状をなす本体Ｂの正面開口Ｂａを開放可能に閉塞する戸体Ｒａのキャッチに利用している例を示しており、図２は、かかるキャッチャー装置Ｃを構成する吸盤５をベース１及びスライダ２側から分離させた状態を示している。また、図３は、往動前位置にある可動体Ｒがキャッチャー装置Ｃを介して本体Ｂにキャッチされている様子を、図４は、図３の状態から可動体Ｒを押し込み操作することにより吸盤５を備えたスライダ２の仮保持が解かれてこのスライダ２が前進位置に移動され、これにより吸盤５の吸着が解かれた様子（あるいはまた、スライダ２を前進位置に移動させて可動体Ｒの復動を待っていたキャッチャー装置Ｃに復動されてきた可動体Ｒが突き当てられた瞬間の様子）を、それぞれ本体Ｂの天板Ｂｂの記載を省略すると共に、キャッチャー装置Ｃの要部を断面にして上方から視て示している。
【００１６】
この実施の形態にかかるキャッチャー装置Ｃは、本体Ｂに往復動可能に組み合わされた可動体Ｒ、または、この本体Ｂに取り付けられて、可動体Ｒの往動前位置においてこの可動体Ｒを本体Ｂにリリース可能にキャッチさせるものである。
【００１７】
かかる可動体Ｒとしては、典型的には、本体Ｂに対して回動可能に組み合わされたものや、本体Ｂに対してスライド移動可能に組み合わされたものなどが予定される。
【００１８】
図１は、かかるキャッチャー装置Ｃを、本体Ｂの正面開口Ｂａを、往動前位置において閉塞する観音開き式の開き戸のキャッチ（往動前位置での仮保持）に用いた例を示している。この例では、左右の戸体Ｒａ、Ｒａのそれぞれが前記可動体Ｒにあたる。キャッチヤー装置は、本体Ｂの左右方向中程の位置において、本体Ｂの天板Ｂｂの内面に、後述する吸盤５の吸着面５０を正面に向けるようにして、そのベース１をもって取り付けられている。キャッチャー装置Ｃは、左右の戸体Ｒａに対応して、二つ設けられている。いずれのキャッチャー装置Ｃも、戸体Ｒａの自由端Ｒｂの上部であって往動前位置において本体Ｂの内方に向けられる面に、この往動前位置において前記吸盤５を吸着させて前記キャッチをなすように構成されている。
【００１９】
より具体的には、開かれた戸体Ｒａ、つまり、往動された戸体Ｒａを往動前位置まで復動させると、この戸体Ｒａが後述する前進位置にあるキャッチャー装置Ｃのスライダ２の前端に取り付けられた吸盤５に突き当たり、スライダ２は第一後退位置に向けてこの戸体Ｒａによって後退移動される。それと共に、吸盤５が戸体Ｒａに押し付けられてこの戸体Ｒａに吸着される。第一後退位置まで後退移動されたスライダ２は後述する保持手段４によってこの第一後退位置に仮保持され、したがって、吸盤５に吸着された戸体Ｒａは往動前位置にキャッチ、位置づけられる。このキャッチ状態から戸体Ｒａをやや押し込み操作すると前記スライダ２は第二後退位置まで押し込まれ保持手段４による仮保持が解かれる。この仮保持が解かれると後述する付勢手段３の付勢によりスライダ２は前進位置に向けて移動され、この移動分戸体Ｒａも往動される。この実施の形態にかかるキャッチャー装置Ｃにあっては、このとき、本体Ｂに取り付けられたキャッチャー装置Ｃのベース１と、吸盤５との間に亘って設けられた後述する引き片６によって吸盤５を戸体Ｒａから引き剥がさせる向きに変形させ、これにより前記のようにキャッチャー装置Ｃにキャッチ（捕捉）されていた戸体Ｒａをフリー（釈放）にするように機能する。
【００２０】
かかるキャッチャー装置Ｃは、
（１）ベース１と、
（２）スライダ２と、
（３）付勢手段３と、
（４）保持手段４と、
（５）吸盤５と、
（６）引き片６と、
を備えている。
【００２１】
ベース１は、スライダ２を前後動可能に支持するものである。図示の例では、このベース１が前記本体Ｂに取り付けられるようになっている。
【００２２】
図示の例では、かかるベース１は、筒一端１０を開放させ、かつ、筒他端１１を閉塞させた角筒状をなすように構成されている。このベース１の開放された筒一端１０からスライダ２がベース１内に前後動可能に入れ込まれるようになっている。このベース１の前後方向にある両側板１２、１２にはそれぞれ前後方向に長く延びる溝状貫通孔１３が形成されている。スライダ２は、その左右にそれぞれ設けられた爪部２０をこの溝状貫通孔１３に入れ込ませた状態でベース１に組み合わされている。すなわち、図示の例では、この溝状貫通孔１３の溝前端にスライダ２の爪部２０が突き当たった位置から先にはスライダ２は前進移動されないようになっており、この位置がスライダ２の前進位置となっている。また、図示の例では、ベース１の両側板１２、１２の前端にはそれぞれ、この側板１２の板面に略直交する向きに突き出す耳部１４が形成されている。この耳部１４には、引き片６を前後方向に移動可能に通す通し穴１４ａと、この通し穴１４ａに側方から連通すると共に、この引き片６の太さよりも溝幅をやや狭くする引き片６の導入溝１４ｂとが形成されている。
【００２３】
スライダ２は、前記ベース１に前後動可能に組み合わされる。図示の例にあっては、かかるスライダ２は、角柱状をなす主体部２１と、この主体部２１の前端面２１ａとの間に間隔を開けて配される支持部２２と、この支持部２２と主体部２１の前端とを連接させる連接部２３とを有している。連接部２３は、主体部２１の前端面２１ａに略平行な板状をなす支持部２２の縦向きの一辺部と主体部２１の前端面を囲う縦向きの一辺部との間に亘って設けられている。
【００２４】
図示の例では、前記吸盤５の背面５１（吸着面５０と反対の側の面）の中央部（吸盤５の背面５１の頂部）に頭部５２ａと頸部５２ｂとを備えたはめ込み凸部５２が一体に形成されていると共に、
スライダ２の前端をなす前記支持部２２に、はめ込み凸部５２の頭部５２ａより穴径を小さくしたこのはめ込み凸部５２の頸部５２ｂの通し穴２２ａと、この頸部５２ｂよりも溝幅をやや小さくすると共にこの通し穴２２ａに側方から連通したこの頸部５２ｂの導入溝２２ｂとが形成されている。
【００２５】
かかる導入溝２２ｂは、支持部２２における連接部２３との連接側と反対の縦向きの他辺部において側方に一方の溝端を開放させている。はめ込み凸部５２は吸盤５の背面５１の中央部から後方に突き出す円柱状体５２ｃに周回溝５２ｄを形成させることにより構成されている。この周回溝５２ｄによって前記頸部５２ｂと頭部５２ａとが形成されている。吸盤５はゴム又はゴム状弾性を備えたプラスチックより構成され、外郭形状を円形とし、吸着面５０を縁部から中央部に向かうに連れて次第に後方に窪ませた形状とすると共に、はめ込み凸部５２を一体成形によって備えている。
【００２６】
これにより、この実施の形態にあっては、スライダ２の支持部２２の導入溝２２ｂに吸盤５のはめ込み凸部５２の頸部５２ｂをやや弾性変形させながらこの頸部５２ｂを通して、この頸部５２ｂを通し穴２２ａに入り込ませ、支持部２２を頭部５２ａと吸盤５との間で挟み込むようにしてワンタッチでスライダ２の前端に吸盤５を取り付けることできるようになっている。
【００２７】
付勢手段３は、前記スライダ２を前進位置に向けて常時付勢するものである。図示の例では、かかる付勢手段３は、ベース１内に納められ、このベース１の閉塞された筒他端の内面にバネ後端を常時接しさせ、かつ、スライダ２の後端にバネ前端を常時接しさせた圧縮コイルバネ３０とされている。
【００２８】
保持手段４は、前記付勢手段３に蓄勢させながら後退移動されるスライダ２を第一後退位置において仮保持すると共に、この第一後退位置よりもさらに奥の第二後退位置にスライダ２が押し込み移動されたときに前記仮保持を解くものである。
【００２９】
図示の例では、かかる保持手段４は、スライダ２側に形成されたカム溝４０と、ベース１側に備えられたトレースピン４１とから構成されている。
【００３０】
カム溝４０は、スライダ２の主体部２１の上面に形成されている。かかるカム溝４０は、このカム溝４０によって、この主体部２１の上面に、ハートの頂部４０ｂを後方に向け、ハートのくぼみ４０ｃ（保持部）を前方に向けたハート形島状部４０ａを形成させるように、設けられている。カム溝４０は、スライダ２の後端側からハートの頂部４０ｂを挟んだ一方側を通ってハートのくぼみ４０ｃに至る往路４０ｄと、このくぼみ４０ｃからハートの頂部４０ｂを挟んだ他方側を通ってこの頂部４０ｂの先で往路４０ｄに合流する復路４０ｆとを備えている。カム溝４０内には数カ所に段差が付けてあり、トレースピン４１は往路４０ｄからくぼみ４０ｃ、くぼみ４０ｃから復路４０ｆを通って再び往路４０ｄに入り込む向きにのみ案内されるようになっている。
【００３１】
トレースピン４１は、前端に下方に屈曲されたピン端４１ａを有すると共に、このピン端４１ａを左右に揺動可能とするように後端側でベース１に支持されている。
【００３２】
トレースピン４１のピン端４１ａは、スライダ２の前進位置においてはカム溝４０の往路４０ｄの始端４０ｅに位置される。（図４）可動体Ｒの復動によって吸盤５に可動体Ｒが突き当たるとスライダ２は後退移動されピン端４１ａは往路４０ｄをくぼみ４０ｃ側に向けて案内される。スライダ２が第一後退位置よりやや先まで後退移動されるとピン端４１ａはハート形島状部４０ａの前方側に回り込みくぼみ４０ｃのやや前方に位置される。ここで可動体Ｒの復動を止めると前記付勢手段３の付勢によりスライダ２は第一後退位置までやや前進すると共に、トレースピン４１のピン端４１ａはくぼみ４０ｃに入り込みスライダ２の仮保持がなされ、（図３）吸盤５に吸着されている可動体Ｒは往動前位置に位置づけられる。この状態から可動体Ｒをやや押し込み操作するとスライダ２は第二後退位置まで後退移動されピン端４１ａはくぼみ４０ｃから前方に抜け出してカム溝４０の復路４０ｆの始端４０ｇに入り込む。こうなると付勢手段３の付勢によりスライダ２は前進位置まで前進移動され、可動体Ｒもこの移動分前に押し出され、図４の状態に復帰される。この過程で後述する引き片６の作用により吸盤５は可動体Ｒから剥がれ可動体Ｒはフリーとなる。
【００３３】
吸盤５は、スライダ２の前端に取り付けられると共に、可動体Ｒ又は本体Ｂのいずれか他方に対し、可動体Ｒの往動前位置において吸着面５０を吸着させるように構成されている。図示の例では、かかる吸盤５は、前記のようにスライダ２に取り付けられ、また、可動体Ｒに吸着されるようになっている。
【００３４】
引き片６は、かかる吸盤５の背面５１に片一端６０側を、ベース１に片他端６１側を接続させると共に、スライダ２が第一後退位置にあるときには緊張されない長さを備えている。そして、スライダ２の仮保持が解かれて付勢手段３の付勢によりスライダ２が前進位置に移動されることに伴ってこの引き片６が緊張され吸盤５が変形されるようになっている。
【００３５】
図示の例では、かかる引き片６は、ひも状をなすように構成されている。引き片６の片一端６０は吸盤５に一体化されている。すなわち、引き片６と吸盤５とは一体に成形されている。これにより、図示の例にあっては、引き片６を合理的に吸盤５に備えさせていると共に、引き片６にも弾性を付与し、さらに、キャッチャー装置Ｃの部品点数を軽減させている。
【００３６】
また、引き片６の片他端６１には、円盤状の頭部６１ａが形成されており、ベース１の耳部１４の後方にこの頭部６１ａが位置されるようにこの耳部１４に形成された導入溝１４ｂを利用して引き片６のこの頭部５２ａと片一端６０との間にある箇所を耳部１４の通し穴１４ａに入れ込ませることにより引き片６の片他端６１側がベース１に接続されるようになっている。
【００３７】
可動体Ｒの往動前位置において可動体Ｒ及び本体Ｂのいずれか一方、図示の例では可動体Ｒに吸盤５を吸着させると共に、第一後退位置にスライダ２を後退させ仮保持させているキャッチャー装置Ｃによって可動体Ｒはこの往動前位置に安定的に位置づけられる。すなわち、この状態では、引き片６は緊張されず、吸盤５の所定の吸着状態をもってその吸着を継続する。この状態からスライダ２が第二後退位置まで後退移動されるように可動体Ｒを操作するとスライダ２の仮保持が解かれ、付勢手段３の付勢によりスライダ２は前進位置に向けて前進移動される。この前進移動がなされるとスライダ２の前進移動分可動体Ｒは往動されると共に、引き片６が緊張されて吸盤５が変形され、吸盤５の吸着状態が解かれる。これにより、可動体Ｒはフリーとされ所望の位置までの往動ができるようになる。フリーとなった可動体Ｒを再び往動前位置に向けて復動させると可動体Ｒ及び本体Ｂのいずれか一方、図示の例では可動体Ｒに再び吸盤５が押し付けられると共にスライダ２が後退移動されることから引き片６の緊張が解かれて変形していた吸盤５は弾性復帰して適正に可動体Ｒに吸着され、また、スライダ２は第一後退位置で仮保持され、可動体Ｒは再び往動前位置に安定的に位置づけられる。
【００３８】
フリーとなっている可動体Ｒをキャッチさせるときは吸盤５が先ず本体Ｂ及び可動体Ｒのいずれか一方に突き当たるので、この際に接触音などをできる限り生じさせないようにすることができる。また、キャッチされている可動体Ｒをフリーにするときは引き片６の作用によってスムースに吸盤５による吸着を解かせることができる。
【００３９】
図示の例では、引き片６の片一端６０は吸盤５の縁部に接続されており、スライダ２の前進移動によって吸盤５をその縁部から後方にスムースにまくれあげさせてその吸着を解き易いようになっている。
【００４０】
また、図示の例では、引き片６は吸盤５の直径方向両側にそれぞれ設けられており、スライダ２が所定の位置まで前進移動されたときには吸盤５の吸着が瞬間的に解かれるようになっている。
【図面の簡単な説明】
【００４１】
【図１】使用状態を示した斜視構成図
【図２】キャッチャー装置Ｃの分解斜視構成図
【図３】キャッチャー装置Ｃの使用状態における要部破断平面構成図
【図４】キャッチャー装置Ｃの使用状態における要部破断平面構成図
【符号の説明】
【００４２】
Ｂ  本体
Ｒ  可動体
Ｃ  キャッチャー装置
１  ベース
２  スライダ
３  付勢手段
４  保持手段
５  吸盤
５１  背面
６  引き片
【図１】
2006299545.tif 000003
【図２】
2006299545.tif 000004
【図３】
2006299545.tif 000005
【図４】
2006299545.tif 000006